(57)【特許請求の範囲】
【請求項１】
肩ひも、ゴア部材、及びウィング部材のうちの少なくとも一つが強固に取り付けられたブラジャーパッドを含むブラジャーであって、
前記ブラジャーパッドは、互いに強固に取り付けられる第１衣服部層及び第２衣服部層を含み、前記第１衣服部層及び前記第２衣服部層は、それらの少なくとも一つの周辺部分で又はこれに沿って互いから分離されており、
前記第１衣服部層は、第１布地層と、第１発泡層と、を含み、前記第２衣服部層は、第２布地層と、第２発泡層と、を含み、
前記第１衣服部層の前記第１発泡層の少なくとも一部、及び、前記第２衣服部層の前記第２発泡層の少なくとも一部は、互いに強固に取り付けられて且つ接触しており、
前記肩ひも、前記ゴア部材、及び前記ウィング部材のうちの少なくとも一つが、前記第１衣服部層の前記第１発泡層と、前記第２衣服部層の前記第２発泡層との間に受け入れられて前記ブラジャーパッドに強固に取り付けられている、ブラジャー。
【請求項２】
前記ウィング部材は、単層式ウィング部材又は多層式ウィングパネルである、請求項１に記載のブラジャー。
【請求項３】
ブラジャーの製造方法であって、（ａ）第１布地層と第１発泡層とを含む第１衣服部層、及び、第２布地層と第２発泡層とを含む第２衣服部層を準備する工程と、（ｂ）前記第１衣服部層を前記第２衣服部層に強固に取り付け、前記第１衣服部層及び前記第２衣服部層の周辺部分で又はこれに沿って、少なくとも一つの開口を形成することによりブラジャーパッドを形成する工程であって、前記第１衣服部層の前記第１発泡層の少なくとも一部、及び、前記第２衣服部層の前記第２発泡層の少なくとも一部が、互いに強固に取り付けられて且つ接触しているブラジャーパッドを形成する工程と、（ｄ）肩ひも、ゴア部材、及びウィング部材のうちの少なくとも一つを準備する工程と、（ｅ）前記第１衣服部層及び前記第２衣服部層の間の前記開口において、前記肩ひも、前記ゴア部材、及び前記ウィング部材のうちの少なくとも一つの少なくとも一部を配置して強固に取り付ける工程と、を備え、  前記工程（ｅ）において、前記肩ひも、前記ゴア部材、及び前記ウィング部材のうちの少なくとも一つの少なくとも一部は、前記第１衣服部層の第１発泡層と、前記第２衣服部層の第２発泡層とに強固に取り付けられて、且つ、これらの間に挟み込まれる、ブラジャーの製造方法。
【請求項４】
前記工程（ｅ）において、前記肩ひも、前記ゴア部材、及び前記ウィング部材のうちの少なくとも一つの少なくとも一部は、縫い合わせ、熱ラミネート、接着又はこれらの組み合わせによって、前記周辺部分に沿って、前記第１発泡層と前記第２発泡層とに強固に取り付けられて、且つ、これらの間に挟み込まれる、請求項３に記載のブラジャーの製造方法。
【請求項５】
前記ブラジャーパッドは、少なくとも、第１、第２、第３及び第４の開口を含み、
（ｆ）前記第１の開口に、前記肩ひもの少なくとも一部を配置して強固に取り付ける工程と、
（ｇ）前記第２の開口に、前記ゴア部材の少なくとも一部を配置して強固に取り付ける工程と、
（ｈ）前記第３の開口に、前記ウィング部材の少なくとも一部を配置して強固に取り付ける工程と、
（ｉ）前記第４の開口に、ワイヤ部材の少なくとも一部を配置して強固に取り付ける工程と、を備える請求項３に記載のブラジャーの製造方法。
【発明の詳細な説明】
【技術分野】
【０００１】
この発明は、２０１３年５月３１日に出願された米国特許出願１３／９０７，９２２号の優先権を主張し、その全体的な内容はここに完全に包含される。
【０００２】
本発明は、ブラジャーパッド（限定されないが）のような衣服部、そのような衣服部を少なくとも一つを組み込んだ衣服、そのような衣服部及び衣服の製造方法に関する。
【背景技術】
【０００３】
従来のブラジャーは、ブラジャーパッドに取り付けられる標準的なワイヤケーシング又はワイヤ管を、通常、組み込んでいる。そのようなものは、常に、視認可能であり、ブラジャーの外観及び着用者の快適性の両方に影響を与える。加えて、幾つかの他の衣服部（肩ひも、ゴア、ウィングパネル等）はまた、重ね合わせ又はバックアウト構造を介してパッドに取り付けられている。実際上、縫い目が厚く、表面が滑らかでないことが、見受けられる。接続点で又はそれに隣接した隆起された縁部は、さらに、着用者の快適性に負の影響を与える。
【０００４】
したがって、本発明の目的は、上述の欠点が軽減され、市場及び公共に有用な代替品を提供する、衣服部、そのような衣服部を組み込んだ衣服、衣服部の製造方法、及び衣服の製造方法を提供することである。
【発明の概要】
【０００５】
本発明の第１の態様によれば、互いに強固に取り付けられる第１衣服部層及び第２衣服部層を含み、前記第１衣服部層及び前記第２衣服部層は、それらの少なくとも一つの周辺部分で又はこれに沿って互いから分離される、衣服部が、提供される。
【０００６】
本発明の第２の態様によれば、少なくとも一つの衣服要素と強固に取り付けられる少なくとも一つの衣服部を有する衣服であって、前記衣服部は、互いに強固に取り付けられる第１衣服部層及び第２衣服部層を含み、前記第１衣服部層及び前記第２衣服部層は、それらの少なくとも一つの周辺部分で又はこれに沿って互いから分離される、衣服が、提供される。
【０００７】
本発明の第３の態様によれば、衣服部の製造方法であって、（ａ）第１衣服部層及び第２衣服部層を準備する工程と、（ｂ）前記第１衣服部層を前記第２衣服部層に強固に取り付け、前記第１衣服部層及び前記第２衣服部層の周辺部分で又はこれに沿って、少なくとも一つの開口を形成する工程と、備える、製造方法が、提供される。
【０００８】
本発明の第４の態様によれば、衣服の製造方法であって、（ａ）第１衣服部層及び第２衣服部層を準備する工程と、（ｂ）前記第１衣服部層を前記第２衣服部層に強固に取り付け、前記第１衣服部層及び前記第２衣服部層の周辺部分で又はこれに沿って、少なくとも一つの開口を形成する工程と、（ｄ）衣服要素を設ける工程と、（ｅ）前記第１衣服部層及び前記第２衣服部層の間の前記開口において、前記衣服要素の少なくとも一部を配置して強固に取り付ける工程と、を備える製造方法が、提供される。
【図面の簡単な説明】
【０００９】
本発明の各種実施の形態は、添付の図面を参照しつつ、各例を通して、以後に説明される。
【図１Ａ】図１Ａは、従来のブラジャーパッドを組み込んだ従来技術のブラジャーの部分的な正面図である。
【図１Ｂ】図１Ｂは、図１Ａに示されるブラジャーの一部の他の図である。
【図２Ａ】図２Ａは、図１Ａに示されるブラジャーの部分的な背面図である。
【図２Ｂ】図２Ｂは、図２Ａに示されるブラジャーの一部の他の図である。
【図３】図３は、図１Ａに示されるブラジャーの一部の拡大断面図であって、カップ外側生地の一片が示される図である。
【図４Ａ】図４Ａは、他の従来のブラジャーパッドを組み込んだ他の従来技術のブラジャーの部分的な正面図である。
【図４Ｂ】図４Ｂは、図４Ａに示されるブラジャーの一部の他の図である。
【図５Ａ】図５Ａは、図４Ａに示されるブラジャーの部分的な背面図である。
【図５Ｂ】図５Ｂは、図５Ａに示されるブラジャーの一部の他の図である。
【図６】図６は、図４Ａに示されるブラジャーの一部の拡大断面図であって、カップ外側生地の一片が示される図である。
【図７】図７は、本発明の一実施の形態によるブラジャーパッドの正面図である。
【図８】図８は、図７に示されるブラジャーパッドの斜視図であって、２つの開口を示す図である。
【図９】図９は、図７に示されるブラジャーパッドを作るための、前身材料の第１層及び前身材料の第２層を示す図である。
【図１０】図１０は、前身材料の第１層の最初の成型工程によって、図７に示されるブラジャーパッドを製造する第１の方法を示す図である。
【図１１】図１１は、前身材料の第２層の成型工程を示す図である。
【図１２】図１２は、成型工程後の前身材料の２つの層の断面図である。
【図１３】図１３は、接着材料の層を塗布された前身材料の第１層の断面図である。
【図１４】図１４は、成型された前身材料の２つの第１層及び第２層の積層を示す図である。
【図１５】図１５は、前身材料の第１層及び前身材料の第２層の間に布地層を最初に設ける工程と、前身材料の第２層に接着材料の層を塗布する工程とによって、図７に示されるブラジャーパッドを製造する第２の方法を示す図である。
【図１６】図１６は、積層された層を形成するための、図１５に示される前身材料の第１及び第２層の加圧工程を示す図である。
【図１７】図１７は、図１４又は図１６における加圧工程後の積層された層の斜視図である。
【図１８】図１８は、図１７に示される積層された層から切り出されたブラジャーパッドを示す図である。
【図１９】図１９は、図７に示された、本発明による２つのブラジャーパッドから形成されたブラジャーの正面図である。
【図２０】図２０は、図１９に示されるブラジャーの背面図である。
【図２１】図２１は、本発明によるブラジャーにおいて肩ひもとして使用するためのテープの斜視図である。
【図２２Ａ】図２２Ａは、本発明によるブラジャーにおいて使用するための完成直前の二層式ウィングパネルである。
【図２２Ｂ】図２２Ｂは、本発明によるブラジャーにおいて使用するための完成直前の単層式ウィングパネルである。
【図２３】図２３は、本発明によるブラジャーにおいて使用するためのワイヤを有するワイヤケーシングである。
【図２４Ａ】図２４Ａは、本発明によるブラジャーの部分的な正面図である。
【図２４Ｂ】図２４Ｂは、図２４に示されるブラジャーの一部の他の図である。
【図２５Ａ】図２５Ａは、図２４Ａに示されるブラジャーの部分的な背面図である。
【図２５Ｂ】図２５Ｂは、図２５Ａに示されるブラジャーの一部の他の図である。
【図２６】図２６は、図２４Ａに示されるブラジャーの一部の拡大断面図であって、カップ外側生地の一片が示される図である。
【発明を実施するための形態】
【００１０】
まず、図１Ａ〜３を参照し、それらは、従来のブラジャーパッド１２、肩ひも１４、ゴア１６、ウィングパネル１８、及びワイヤケーシング２０を有する従来の第１ブラジャー１０の各種の部分的な図を示している。図３により明確に示されるように、ウィングパネル１８、肩ひも１４、ワイヤケーシング２０及びゴア１６（図３にて不図示）の全ては、ブラジャーパッド１２の内面に取り付けられている（例えば、縫い合わせ又は熱ラミネートによって）。カップ外側布地２２の一片は、ブラジャーパッド１２の外側面に取り付けられ、且つブラジャーパッド１２とウィングパネル１８との間の一方側と、ブラジャーパッド１２と肩ひも１４との間の他方側とに、固定されている。図１Ａ及び１Ｂに示されるように、肩ひも１４を覆ったブラジャーパッド１２の隆起縁部２４及びウィングパネル１８を覆ったブラジャーパッド１２の隆起縁部２６は、ブラジャー１０を覆って身に付けられた外側の衣服上に現れることがあり、したがって外側の衣服の外観に影響を与える。他方で、図２Ａ及び２Ｂに示されるように、肩ひも１４の隆起縁部２８及びワイヤケーシング２０の隆起縁部３０は、着用者に不快感を生じさせることになる。
【００１１】
図４Ａ〜６を参照し、それらは、他の従来のブラジャーパッド５２、肩ひも５４、ゴア５６、ウィングパネル５８、及びブラジャーパッド５２に覆われたワイヤ６０を有する従来の第２ブラジャー５０の各種の部分的な図を示している。図６により明確に示されるように、ウィングパネル５８、肩ひも５４、ゴア５６（図６にて不図示）の全ては、ブラジャーパッド５２の内面に取り付けられている（例えば、縫い合わせ又は熱ラミネートによって）。カップ外側布地６２の一片は、ブラジャーパッド５２の外側面に取り付けられ、且つウィングパネル５８の折り返し端部内の一方側と、ブラジャーパッド５２と肩ひも５４との間の他方側とに、固定されている。図４Ａ及び４Ｂに示されるように、肩ひも５４を覆ったブラジャーパッド５２の隆起縁部６４及びウィングパネル５８を覆ったブラジャーパッド５２の隆起縁部６６は、ブラジャー５０を覆って身に付けられた外側の衣服上に現れることがあり、したがって外側の衣服の外観に影響を与える。他方で、図５Ａ及び５Ｂに示されるように、ブラジャーパッド５２を覆った肩ひも５４のステップ６６及びウィングパネル５８のステップ６８は、着用者に不快感を生じさせることになる。
【００１２】
図７及び８は、概して１００として指示される、本発明の実施の形態によるブラジャーパッドを示す。ブラジャーパッド１００は、二つの開口を形成するべく互いから外側層１０２及び内側層１０４が分離する第１周辺部分１０６及び第２周辺部分１０８に沿うところを除いて、互いに強固に取り付けられた、外側層１０２と、内側層１０４と、を含む。
【００１３】
図９に示されるように、外側層１０２は、前身材料１１０の第１層から形成され、内側層１０４は、前身材料１１２の第２層から形成されている。前身材料１１０の第１層は、接着及び／又は熱ラミネートによって一体に積層された布材料１１４の一片及び発泡材料１１６の一片から形成されている。同様に、前身材料１１２の第２層は、接着及び／又は熱ラミネートによって一体に積層された布材料１１８の一片及び発泡材料１２０の一片から形成されている。
【００１４】
図１０〜１４は、前身材料１１０の第１層及び前身材料１１２の第２層から、本発明によるブラジャーパッド１００を製造する第１の方法を示す。この方法によれば、図１０に示されるように、前身材料１１０の第１層が、布材料１１４の一片が上型半部１１２を向き、発泡材料１１５の一片が下型半部１２４を向く状態で、上型半部１２２と下型半部１２４との間に配置される。そして二つの型半部１２２，１２４は、図１２に示されるように、前身材料１１０の第１層をカップ形状に成型するべく、互いに向けて移動される（加圧又は好ましくは熱加圧によって）。
【００１５】
同様に、図１１に示されるように、前身材料１１２の第２層は、布材料１１８の一片が下型半部１２４を向き、発泡材料１２０の一片が上型半部１２２を向く状態で、上型半部１２２と下型半部１２４との間に配置される。そして二つの型半部１２２，１２４は、図１２に示されるように、前身材料１１２の第２層をカップ形状に成型するべく、互いに向けて移動される（加圧又は好ましくは熱加圧によって）。
【００１６】
図１３に示されるように、接着材料１２６は、成型後、前身材料１１０の第１層の発泡材料１１６の一片の露出された主面の部分に塗布される。そして、図１４に示されるように、成型された前身材料１１０の第１層（接着材料１２６を有する）及び成型された前身材料１１２の第２層は、互いに直接的に向き合う発泡材料１１６，１２０の各片とともに、上型半部１２２と下型半部１２４との間に配置される。少なくとも布材料１２８の層が、成型された前身材料１１０の第１層と成型された前身材料１１２の第２層との間に、配置される。そして二つの型半部１２２，１２４は、図１７に示されるように、少なくとも一つ（例えば二つ）の非積層領域１３２を有する、積層された層１３０を形成するために、成型された前身材料１１０の第１層と成型された前身材料１１２の第２層とを積層するべく（加圧及び好ましくは熱加圧によって）、互いに向けて移動される。この方法は、成型後に、前身材料１１０の第１層の発泡材料１１６の一片の露出された主面の一部に接着材料１２６が塗布される内容で、説明されたが、成型後に、前身材料１１２の第２層の発泡材料の一片の露出された主面の一部に接着材料を塗布することは、同様に、可能である。
【００１７】
上述され且つ図１０〜１４に示された方法に代わるものとして、図１５及び１６に示されるように、前身材料１１２の第２層の上に前身材料１１０の第１層を配置し、それらの間に布材料１３４の少なくとも一つを介在させることが可能である。接着材料１２６は、前身材料１１２の第２層の発泡材料の一片の露出された主面の一部に塗布される。そして前身材料１１０の第１層と前身材料１１２の第２層とは、互いに取り付けられ、二つの型半部１２２，１２４の間に配置される。そして二つの型半部１２２，１２４は、図１７に示されるように、少なくとも一つ（例えば二つ）の非積層領域１３２を有する、積層された層１３０を形成するために、前身材料１１０の第１層と前身材料１１２の第２層とを積層するべく（加圧及び好ましくは熱加圧によって）、互いに向けて移動される。再度、前身材料１１０の第１層の発泡材料１１６の一片の露出された主面の一部に、接着材料が塗布されてもよいことが、見受けられる。
【００１８】
二つのブラジャーパッド１００（図１８において一つが示される）は、外側層１０２及び内側層１０４が二つの開口を形成するべく互いから分離された第１周辺部分１０６及び第２周辺部分１０８に沿うところを除いて、前身材料１１０の第１層と前身材料１１２の第２層とが互いに強固に取り付けられている、積層された層１３０、から切り離される。
【００１９】
図１９及び２０は、この発明による二つのブラジャーパッド１００を組み込んだブラジャー（概して１３５で指示される）の正面図及び背面図の各々を、示す。各種のブラジャーの要素は、ブラジャー１３５を形成するべく、ブラジャーパッド１００に取り付けられてもよい（例えば、縫い合わせ又は熱ラミネートによって）。図２１は、外側層１０２と内側層１０４との間にて、開放第１周辺部分１０６で、強固に取り付けられ且つ挟み込まれてもよい、肩ひも１３６を示す。弾性バンド１４０ａを有する二層式ウィングパネル１３８ａ（図２２Ａに示されるような）は、外側層１０２と内側層１０４との間にて、他の開放周辺部分で、強固に取り付けられ且つ挟み込まれてもよい。もちろん、代替として、弾性バンド１４０ｂを有する単層式ウィングパネル１３８ｂ（図２２Ｂに示されるような）が、外側層１０２と内側層１０４との間にて、他の開放周辺部分で、強固に取り付けられ且つ挟み込まれてもよい。図２３に切り替えて、ワイヤを挿入されたワイヤケーシング１４２が、外側層１０２と内側層１０４との間にて、開放第２周辺部分１０８で、強固に取り付けられ且つ挟み込まれてもよい。ワイヤケーシング１４２の厚さは、約１．２ｍｍ〜２．５ｍｍである。
【００２０】
図２４Ａ〜図２６は、本発明によるブラジャーパッド１００を組み込んだブラジャー１３５の各種の図を示す。以下のことが見受けられる。
（ａ）ブラジャーパッド１００の外側層１０２と内側層１０４との間で挟み込まれることによって、１５２で、ウィングパネル１３８ａ／１３８ｂが、ブラジャーパッド１００と強固に取り付けられている。
（ｂ）ブラジャーパッド１００の外側層１０２と内側層１０４との間で挟み込まれることによって、１５４で、肩ひも１３６が、ブラジャーパッド１００と強固に取り付けられている。
（ｃ）ブラジャーパッド１００の外側層１０２と内側層１０４との間で挟み込まれることによって、ワイヤケーシング１４２が、ブラジャーパッド１００と強固に取り付けられている。
（ｄ）ブラジャーパッド１００の外側層１０２と内側層１０４との間で挟み込まれることによって、ゴア１４６が、ブラジャーパッド１００と強固に取り付けられている。
【００２１】
図２６に示されるように、カップ外側生地１４８の一片は、ブラジャーパッド１００の外側面に取り付けられ、ブラジャーパッド１００の外側層とウィングパネル１３８ａ／１３８ｂとの間の一方側、及び、ブラジャーパッド１００と肩ひも１３６との間の他方側に、固定されている。
【００２２】
従来のブラジャーの長期の使用後は、ワイヤが、圧力、胸部付け根の周りのくぼみの可能性、及び着用者の苦痛を、引き起こし得る。しかしながら、本発明によるブラジャー１３５においては、ワイヤケーシング１４２がブラジャーパッド１００に覆われ、これにより圧力を低減し、着用者の快適性を高める。また、従来の覆われたワイヤブラジャー及び本発明によるブラジャー１３５の両方は、覆われたワイヤ構造を有するが、それらのワイヤ配置は異なっている。従来の覆われたワイヤブラジャーでは、ワイヤとブラジャーパッドとの間の距離が約８ｍｍ〜１２ｍｍであるが、本発明によるブラジャー１３５では、ワイヤは、従来のブラジャーのようなブラジャーパッド１００の端部に近接して続くように、配置され得る。本発明のブラジャーパッド１００は、着用者の胸に触れることができ、着用者により一層の快適性を提供することができる。
【００２３】
上述のことは、本発明が実施されてもよい一例を示したに過ぎず、本発明の趣旨から逸脱しない限りで、各種の変形及び／又は置換がなされてもよいことは、理解されるべきである。例えば、本発明は、衣服がブラジャーのような衣服部を組み込んだ内容にて、これまで説明されてきたが、衣服が、ランジェリー、スポーツブラ、又は矯正下着であってもよいことは、理解される。
【００２４】
また、本発明のある特徴、明確化のために、分離された実施の形態の内容で説明されたものが、一つの実施の形態にて組み合わせで提供されてもよいことは、理解されるべきである。逆に、本発明の各種の特徴、簡潔化のために一つの実施の形態の内容で説明されたものが、分離されて又は適切なサブコンビネーションで提供されてもよい。
【図１Ａ】
0006433992.tif 000002
【図１Ｂ】
0006433992.tif 000003
【図２Ａ】
0006433992.tif 000004
【図２Ｂ】
0006433992.tif 000005
【図３】
0006433992.tif 000006
【図４Ａ】
0006433992.tif 000007
【図４Ｂ】
0006433992.tif 000008
【図５Ａ】
0006433992.tif 000009
【図５Ｂ】
0006433992.tif 000010
【図６】
0006433992.tif 000011
【図７】
0006433992.tif 000012
【図８】
0006433992.tif 000013
【図９】
0006433992.tif 000014
【図１０】
0006433992.tif 000015
【図１１】
0006433992.tif 000016
【図１２】
0006433992.tif 000017
【図１３】
0006433992.tif 000018
【図１４】
0006433992.tif 000019
【図１５】
0006433992.tif 000020
【図１６】
0006433992.tif 000021
【図１７】
0006433992.tif 000022
【図１８】
0006433992.tif 000023
【図１９】
0006433992.tif 000024
【図２０】
0006433992.tif 000025
【図２１】
0006433992.tif 000026
【図２２Ａ】
0006433992.tif 000027
【図２２Ｂ】
0006433992.tif 000028
【図２３】
0006433992.tif 000029
【図２４Ａ】
0006433992.tif 000030
【図２４Ｂ】
0006433992.tif 000031
【図２５Ａ】
0006433992.tif 000032
【図２５Ｂ】
0006433992.tif 000033
【図２６】
0006433992.tif 000034